(57)【要約】【課題】セキュリティシステムにおいて、セキュリティカードが認証された場合に、出入口ドアを開く他に、ユーザに役立つ情報の表示を可能にすることである。【解決手段】セキュリティシステム１０は、カードリーダ部４２と、建物内のセキュリティ空間の出入口ドア３４に設けられたドアロック機構１０８と、建物に設けられる設備についての状態信号を出力する状態出力端末と、を備え、カードリーダ部４２は、セキュリティカード５０ｂの識別情報を読み取る読取部９０と、読み取った識別情報について認証可否を判定し、認証された場合にドアロック機構１０８を開錠状態とし出入口ドア３４を開閉可能にするセキュリティ制御部１１０と、識別情報が認証された場合に、状態出力端末の状態信号に基づいて、各種情報を表示部に出力する情報表示制御部１１２とを有する。【選択図】図３
2019021231.tif 000002
【特許請求の範囲】
【請求項１】
ユーザのセキュリティカードを読み取り、建物内のセキュリティ空間の出入口ドアを開閉可能にするセキュリティシステムであって、
前記セキュリティカードのデータを読み取るカードリーダ部と、
前記建物内のセキュリティ空間の出入口ドアに設けられたドアロック機構と、
前記建物に設けられる設備についての状態信号を出力する状態出力端末と、
前記状態出力端末から前記状態信号を前記カードリーダ部に伝送する信号線と、
を備え、
前記カードリーダ部は、
前記セキュリティカードの識別情報を読み取る読取部と、
読み取った前記識別情報について認証可否を判定し、認証された場合に前記ドアロック機構を開錠状態とし前記出入口ドアを開閉可能にするセキュリティ制御部と、
前記識別情報が認証された場合に、前記状態出力端末の前記状態信号に基づいて、各種情報を表示部に出力する情報表示制御部と、
を有する、セキュリティシステム。
【請求項２】
前記カードリーダ部は、
前記ユーザの操作によって、前記各種情報の表示要求を示す要求信号を出力する情報要求操作子を有し、
前記情報表示制御部は、前記情報要求操作子から前記要求信号を取得する場合に、前記各種情報を前記表示部に出力する、請求項１に記載のセキュリティシステム。
【請求項３】
前記状態出力端末は、前記建物に設けられた配電設備の配電盤が検出する配電状態信号を出力し、
前記情報表示制御部は、取得した前記配電状態信号が停電状態である場合に、停電中情報を出力する、請求項１に記載のセキュリティシステム。
【請求項４】
前記状態出力端末は、前記建物に設けられた配電設備の配電盤が検出する配電状態信号を出力し、
前記情報表示制御部は、取得した前記配電状態信号が停電状態である場合に、前記要求信号を取得していない場合でも、前記停電中情報を出力する、請求項２に記載のセキュリティシステム。
【請求項５】
前記状態出力端末は、前記建物に設けられた昇降設備制御部が検出する運行状態信号を出力し、
前記情報表示制御部は、取得した昇降設備に関する前記運行状態信号が保守点検中信号である場合に、昇降設備停止中情報を出力する、請求項１または２に記載のセキュリティシステム。
【請求項６】
前記状態出力端末は、前記建物の外構または屋上に設けられた雨水センサが検出する雨量状態信号を出力し、
前記情報表示制御部は、取得した前記雨量状態信号が時間経過とともに増加状態である場合に、降雨中情報を出力する、請求項１または２に記載のセキュリティシステム。
【請求項７】
前記状態出力端末は、前記セキュリティ空間内において、退室時に動作終了点検を必要とされる所定の機器に設けられた動作状態信号を出力し、
前記情報表示制御部は、取得した前記動作状態信号が動作中信号である場合に、退室時点検見直し情報を出力する、請求項１または２に記載のセキュリティシステム。
【請求項８】
前記状態出力端末は、前記セキュリティ空間内において、入室時に始動点検を必要とされる所定の機器に設けられた動作状態信号を出力し、
前記情報表示制御部は、取得した前記動作状態信号が動作停止中信号である場合に、入室時点検見直し情報を出力する、請求項１または２に記載のセキュリティシステム。
【発明の詳細な説明】
【技術分野】
【０００１】
本開示は、セキュリティシステムに係り、特に、ユーザのセキュリティカードを読み取り、建物内のセキュリティ空間の出入口ドアを開閉可能にするセキュリティシステムに関する。
【背景技術】
【０００２】
複数のテナントが入っているテナントビル、複数のオフィス室を有する自社ビル、複数の店舗が入っている店舗ビル、共同住宅等で、カードリーダを備え、所定のセキュリティカードを有する者のみが入退館できるセキュリティシステムが用いられる。
【０００３】
例えば、特許文献１には、入退館セキュリティ管理システムとして、セキュリティ室の出入口に設置されるカードリーダとゲートとを有する入退館ゲート装置と、カード利用者が有するセキュリティカードとを含む構成が述べられている。
【０００４】
特許文献２には、極秘資料室のドアを開閉操作するセキュリティ装置として、セキュリティカードのＩＤ情報を無線コントローラで読取り、登録情報と対応させてドア開条件を満たした場合に確認ＯＫのメッセージを表示してドア開にすることが開示されている。
【先行技術文献】
【特許文献】
【０００５】
【特許文献１】特開２００７−００６００４号公報
【特許文献２】特開平０５−０６７２５８号公報
【発明の概要】
【発明が解決しようとする課題】
【０００６】
従来技術におけるセキュリティカードを用いるセキュリティシステムでは、ユーザがカードリーダにセキュリティカードをかざすと、認証されたか否かを示すインジケータが点灯するか、あるいは、認証音、エラー音が出力される。その際に、ユーザに役立つ情報が提供される例はなかった。
【０００７】
本開示は、セキュリティカードを用いるセキュリティシステムにおいて、セキュリティカードが認証された場合に、出入口ドアを開閉可能にする他に、ユーザが出入りする際に役立つ情報の表示等を可能にするセキュリティシステムを提供することである。
【課題を解決するための手段】
【０００８】
本開示に係るセキュリティシステムは、ユーザのセキュリティカードを読み取り、建物内のセキュリティ空間の出入口ドアを開閉可能にするセキュリティシステムであって、セキュリティカードのデータを読み取るカードリーダ部と、建物内のセキュリティ空間の出入口ドアに設けられたドアロック機構と、建物に設けられる設備についての状態信号を出力する状態出力端末と、状態出力端末から状態信号をカードリーダ部に伝送する信号線と、を備え、カードリーダ部は、セキュリティカードの識別情報を読み取る読取部と、読み取った識別情報について認証可否を判定し、認証された場合にドアロック機構を開錠状態とし出入口ドアを開閉可能にするセキュリティ制御部と、識別情報が認証された場合に、状態出力端末の状態信号に基づいて、各種情報を表示部に出力する情報表示制御部と、を有する。
【発明の効果】
【０００９】
上記構成のセキュリティシステムによれば、セキュリティカードが認証された場合に、出入口ドアを開閉可能にする他に、ユーザが出入りする際に役立つ情報の表示等が可能になる。
【図面の簡単な説明】
【００１０】
【図１】実施の形態に係るセキュリティシステムの構成図である。
【図２】図１におけるカードリーダ部とセキュリティカードを示す図である。
【図３】図１において、カードリーダ部、出入口ドア、及び、建物に設けられる各種の状態出力端末の接続関係を示すブロック図である。
【図４】実施の形態に係るセキュリティシステムの認証及び各種情報の提供の手順を示すフローチャートである。
【発明を実施するための形態】
【００１１】
以下に図面を用いて本開示に係る実施の形態につき、詳細に説明する。以下では、セキュリティシステムが設けられる建物として、地下１階、地上６階で外構の植栽を有するテナントビルを述べるが、これは説明のための例示である。テナントビル以外でセキュリティカードを用いて出入りできるセキュリティ空間を有する建物であればよく、自社ビル、ショッピングモール等の店舗ビルでもよく、場合によっては、ホテル、共同住宅等でもよい。
【００１２】
以下において、カードリーダ部に状態信号を送信する設備として、建物に設けられる配電設備、昇降設備、空調機、ＯＡ機器等を述べるが、これらは説明のための例示であり、セキュリティカードのユーザにとって有用な状態信号を送信する設備であればよい。以下において、ドアロック機構が開錠された場合の出入口ドアについて、建物のエントランスの出入口ドアは自動ドアとし、建物内の部屋の出入口ドアは手動ドアとするが、これは説明のための例示である。建物におけるセキュリティシステムの仕様に応じ、全部の出入口ドアをドアロック機構付きの自動ドアとしてもよく、全部の出入口ドアをドアロック機構付きの手動ドアとしてもよく、特定の出入口ドアのみドアロック機構付きの自動ドアまたは手動ドアとしてよい。
【００１３】
以下では、全ての図面において同様の要素には同一の符号を付し、重複する説明を省略する。
【００１４】
図１は、セキュリティカード５０を用いるセキュリティシステム１０の構成図である。図１では、セキュリティカード５０として、セキュリティカード５０ａ，５０ｂを示す。以下では、特に断らない限り、セキュリティカード５０を用いるセキュリティシステム１０を、セキュリティシステム１０と呼ぶ。セキュリティシステム１０は、地下１階、地上６階の建物１２と外構の植栽１４とを有するテナントビルに設けられ、利用者であるユーザ８のセキュリティカード５０を読み取り、建物１２内のセキュリティ空間の出入口ドアを開閉可能にするシステムである。図１では、セキュリティシステム１０の構成要素ではないが、ユーザ８の例として、ユーザ８ａ，８ｂ，８ｃ，８ｄを示す。
【００１５】
建物１２は、ユーザ８が出入りできるエントランス１６を有し、昇降設備として、エレベーターシステム１８とエスカレーターシステム２０とを備える。
【００１６】
エレベーターシステム１８は、乗場からユーザ８ｃを乗りかご２２に乗せ、ユーザ８ｃの要求に応じて昇降路２４の中を昇降させて、ユーザ８ｃの所望の乗場に着床してユーザ８ｃを降ろす利用客運搬装置である。エレベーターシステム１８は、建物１２を縦方向に縦貫する昇降路２４の上部に機械室２６が設けられ、そこに乗りかご２２を昇降させる巻上機等が配置される。エスカレーターシステム２０は、建物１２の上部階の乗降口と下部階の乗降口との間を移動する複数の踏段にユーザ８ｄを乗せて運搬する利用客運搬装置である。図１においては、エスカレーターシステム２０のうち、建物１２の３Ｆと４Ｆとの間に設けられる部分を示す。
【００１７】
建物１２は、エントランス１６において、建物１２の出入口ドア２８と、出入口ドア２８の近傍に設けられる建物１２用のカードリーダ部４０を有する。出入口ドア２８の通常状態は閉状態で、ユーザ８ａがセキュリティカード５０ａをカードリーダ部４０にかざして認証を受けると、ドアロック機構１０８（図３参照）が開錠され出入口ドア２８が開閉可能になり自動的に開く。建物１２において、出入口ドア２８よりも内側の空間が、建物１２におけるセキュリティ空間１３である。
【００１８】
「セキュリティカード５０ａをカードリーダ部４０にかざす」とは、セキュリティカード５０ａの識別情報をカードリーダ部４０が読み取れる程度に非接触的に近接させることを意味する。これは説明のための例示であって、場合によっては、セキュリティカード５０ａをカードリーダ部４０の読取用ガイド溝に挿入してスライドさせる接触式で、識別情報を読み取ってもよい。
【００１９】
建物１２は、各階に複数のテナント用の部屋を有する。図１では、３Ｆの部屋３０と、４Ｆの部屋３２を示す。部屋３０は、部屋３０用の出入口ドア３４と、出入口ドア３４の近傍に設けられる部屋３０用のカードリーダ部４２を有する。出入口ドア３４の通常状態は閉状態で、ユーザ８ｂがセキュリティカード５０ｂをカードリーダ部４２にかざして認証を受けると、ドアロック機構１０８が開錠され手動で出入口ドア３４を開くことができる。したがって、部屋３０は、出入口ドア３４よりも内側の空間が、建物１２内において独立したセキュリティ空間である。同様に、部屋３２は、部屋３２用の出入口ドア３６と、出入口ドア３６の近傍に設けられる部屋３２用のカードリーダ部４４を有する。出入口ドア３６の通常状態は閉状態で、図示しないが、部屋３２のユーザ８がそのセキュリティカード５０をカードリーダ部４４にかざして認証を受けると、ドアロック機構１０８が開錠され手動で出入口ドア３６を開くことができる。したがって、部屋３２は、出入口ドア３６よりも内側の空間が、建物１２内において独立したセキュリティ空間である。
【００２０】
カードリーダ部４０，４２，４４は、それぞれセキュリティカード５０を認証して出入口ドア２８，３４，３６を開閉可能とするセキュリティ制御の機能を有する。この機能は、従来の一般的なセキュリティカードを有するセキュリティシステムの機能と同じである。これに加えて、カードリーダ部４０，４２，４４は、認証されたセキュリティカード５０のユーザ８にとって有用な情報を表示する機能を有する。有用な情報とは、建物１２に設けられる各種設備の状態に関する情報である。この機能のために、建物１２に設けられる各種設備の状態信号をそれぞれ出力する複数の状態出力端末と、カードリーダ部４０，４２，４４とは、それぞれ信号線４８，５２，５４を介して接続される。
【００２１】
建物１２のエントランス１６に設けられるカードリーダ部４０には、建物１２の共用設備の状態出力端末が信号線４８を介して接続される。建物１２の共用設備の状態出力端末は、配電設備５９の配電盤６０、エレベーターシステム１８の制御盤６２、エスカレーターシステム２０の制御盤６４、外構の植栽１４に設けられた雨水センサ６６である。
【００２２】
配電設備５９の配電盤６０は、建物１２のＢ１Ｆ（地下１階）の中央監視室に設けられる配電設備５９の配電状態信号を出力する。配電状態信号には、停電状態を示す停電中信号が含まれる。建物１２が停電中であると、テナントの部屋３０，３２等の業務に支障がある。例えば、テナントの部屋３０，３２がオフィス関連であると、ＯＡ端末のデータが失われる場合が生じ得る。テナントの部屋３０，３２が食品関連であると、冷蔵庫内の食品等が使用不可になり得る。このように、停電中を知らせる情報は、ユーザ８に取り有用な情報である。
【００２３】
エレベーターシステム１８の制御盤６２とエスカレーターシステム２０の制御盤６４とは、建物１２における昇降設備制御部である。エレベーターシステム１８の制御盤６２は機械室２６に設けられ、エレベーターシステム１８の運行状態信号を出力する。運行状態信号には、エレベーターシステム１８の全部または一部が保守点検中であって運行が停止状態であることを示す保守点検中信号を含む。同様に、エレベーターシステム１８の制御盤６２はエスカレーターシステム２０のトラス内に設けられ、エスカレーターシステム２０の運行状態信号を出力する。運行状態信号には、エスカレーターシステム２０の全部または一部が保守点検中であって運行が停止状態であることを示す保守点検中信号を含む。エレベーターシステム１８、エスカレーターシステム２０が保守点検中で運行が停止していると、ユーザ８の建物１２内の移動に支障が生じる。このように、保守点検中を知らせる情報は、ユーザ８に取り有用な情報である。運行状態信号には、保守点検終了信号を含むが、保守点検終了を知らせる情報も、ユーザ８に取り有用な情報である。
【００２４】
雨水センサ６６は、建物１２の外構の植栽１４に設けられ、例えばスポンジのように雨水を含むと全体の質量が増加し、含んだ水が蒸発すると全体の質量が減少する含水物質を利用し、外構の植栽１４に散水するかしないかを知らせるためのセンサである。雨水センサ６６の端子部は、含水物質が含有する雨水量に関する雨量状態信号を出力する状態出力端子である。散水するかしないかは、雨量状態信号が示す水量と閾値水量とを比較することで判定され、例えば、自動散水器の動作の制御に用いられる。ここで、雨量状態信号が示す水量が時間と共に増加する場合は、現在降雨中であることを示す。降雨中を示す情報は、建物１２の内部にいるユーザ８が外出する際に、有用な情報であるので、カードリーダ部４０に信号線４８を介して伝送される。なお、場合によっては、雨水センサ６６を建物１２の屋上に設けてもよい。
【００２５】
次に、建物１２の内部のセキュリティ空間１３における部屋３０用のカードリーダ部４２には、部屋３０内の各種機器の状態出力端末が信号線５２を介して接続される。部屋３０内の各種機器の状態出力端末は、空調機７０、照明器具７２、複写機７４、窓の電子錠７６のそれぞれの動作状態信号としてオンオフ状態信号を出力する端子部である。同様に、部屋３２用のカードリーダ部４４には、部屋３２内の各種機器の状態出力端末が信号線５４を介して接続される。部屋３２内の各種機器の状態出力端末は、空調機７１、照明器具７３、電気ポット７８、パーソナルコンピュータ８０のそれぞれの動作状態信号としてオンオフ状態信号を出力する端子部である。これらの機器のオンオフ状態に関する情報は、部屋３０，３２に所属するユーザ８にとって、退室時点検、始業時点検に有用な情報である。なお、図１では信号線の図示を省略したが、カードリーダ部４２，４４にも、カードリーダ部４０と同様に、建物１２の共用設備の状態出力端末が接続される。
【００２６】
カードリーダ部４０，４２，４４は、ユーザ８にとって有用な情報を表示する機能が多少相違するが、基本的構成は同じである。セキュリティカード５０ａ，５０ｂは、記憶している識別情報が相違するが、基本的構成は同じである。そこで、これらの代表例として、カードリーダ部４０とセキュリティカード５０ａを図２に示す。
【００２７】
セキュリティカード５０ａは、送受信回路と記憶部とを含むセキュリティチップ８８を内蔵するカードである。記憶部には、セキュリティカード５０ａの識別情報が記憶される。セキュリティカード５０ａは、特定の一人のユーザ８ａに交付されるので、セキュリティカード５０ａの識別情報は、実質的にユーザ８ａの識別情報である。ユーザ８ａの識別情報は、例えば、ユーザ８ａが建物１２内の部屋３２に所属するものであること、したがって、建物１２のエントランス１６におけるカードリーダ部４０に登録されており、部屋３２のカードリーダ部４４にも登録されていることを示す。
【００２８】
カードリーダ部４０は、セキュリティカード５０ａのデータを読み取って認証し、認証されたセキュリティカード５０ａのユーザ８ａにとって有用な情報を表示する端末装置である。カードリーダ部４０は、セキュリティカード５０ａのセキュリティチップ８８と無線で交信する読取部９０を有するマイクロプロセッサ９１（図３参照）を内蔵する。マイクロプロセッサ９１は、セキュリティチップ８８に記憶されている識別情報を読取部９０で読み取り、予め記憶している登録情報と比較して一致すれば、セキュリティカード５０ａを認証し、一致しなければエラー信号を出力する。状態インジケータ９２は、マイクロプロセッサ９１の処理状態を示す表示ランプで、認証の「ＯＫ／ＮＧ」、ドアロック機構１０８の「施錠／開錠」、認証判定の「エラー」等を示す点灯または消灯を行う。テンキー部９４は、セキュリティカード５０ａを所持し忘れた場合等においても開錠できるように、予め設定されている暗証番号を入力するための入力ボタンである。読取部９０、状態インジケータ９２、テンキー部９４は、従来のカードリーダ部も有しているセキュリティ制御の機能に関する部分である。
【００２９】
情報インジケータ９６，９８、情報要求ボタン１００、情報スピーカ１０２、情報ディスプレイ１０４は、ユーザ８ａにとって有用な情報を表示する機能に関する部分で、従来のカードリーダ部は有さない部分である。これらのうち、情報要求ボタン１００、情報スピーカ１０２、情報ディスプレイ１０４は、セキュリティ制御の機能によって、セキュリティカード５０ａが認証された後に作動し、認証に失敗しエラー状態になった場合は作動しない。
【００３０】
情報インジケータ９６は、ユーザ８ａにとって緊急的な情報がある場合に点灯するインジケータである。情報インジケータ９８は、ユーザ８ａにとって緊急的ではないが、有用な情報がある場合に点灯するインジケータである。緊急的な情報は、配電状態信号における停電中信号に基づく停電中情報である。緊急的ではないが有用な情報は、昇降設備の動作状態信号における保守点検中信号に基づく昇降設備停止中情報、及び、雨量状態信号に基づく降雨中情報である。場合によっては、ユーザ８ａにとって緊急的な情報に昇降設備停止中情報を含めてもよい。
【００３１】
なお、カードリーダ部４２，４４においては、緊急的ではないが有用な情報として、部屋３０，３２内の各種機器の動作状態信号におけるオンオフ状態信号に基づく退室時点検見直し情報、入室時始動済み情報を含む。
【００３２】
情報要求ボタン１００は、ユーザ８ａの操作によって、各種情報の表示要求を示す要求信号を出力する情報要求操作子である。ユーザ８ａにとって緊急的な情報がある場合は情報インジケータ９６が点灯する。情報インジケータ９６が点灯した場合は、情報要求ボタン１００の操作の有無にかかわらず緊急的な情報が表示される。したがって、情報要求ボタン１００は、情報インジケータ９８が点灯している場合に、ユーザ８ａにとって緊急的ではないが有用な情報についての表示をするかしないかについてユーザ８ａの選択に委ねるために設けられる。例えば、エントランス１６において、多数のユーザ８が並んでいる場合等には、ユーザ８ａは、他のユーザ８の利便を考え、有用な情報の表示要求をせずに済ますことができる。エントランス１６に他のユーザ８がいない場合等においては、情報インジケータ９８の点灯に応じてユーザ８ａが情報要求ボタン１００を押すことで、有用な情報の表示が行われる。
【００３３】
情報スピーカ１０２と情報ディスプレイ１０４は、ユーザ８ａにとって緊急的な情報、及び、情報要求ボタン１００が押された場合のユーザ８ａにとって緊急的ではないが有用な情報を出力する表示部である。情報ディスプレイ１０４は、液晶ディスプレイ等を用いることができる。情報スピーカ１０２による音声情報と情報ディスプレイ１０４による視覚的情報は、いずれか１つでもよく、併用してもよい。例えば、緊急的な情報は情報スピーカ１０２の音声で出力し、緊急的でないが有用な情報を情報ディスプレイ１０４で表示してもよい。
【００３４】
図３は、部屋３０用のカードリーダ部４２と他の要素との接続関係を示すブロック図である。カードリーダ部４２に接続される状態出力端末は、建物１２の共有設備に関するものとして、配電設備５９の配電盤６０、エレベーターシステム１８の制御盤６２、エスカレーターシステム２０の制御盤６４、雨水センサ６６の端子部を含む。さらに、カードリーダ部４２には、部屋３０内において始業時点検と退室時点検の対象となる各種機器の端子部が状態出力端末として接続される。部屋３０内において始業時点検と退室時点検の対象となる各種機器は、空調機７０、照明器具７２、複写機７４、窓の電子錠７６である。
【００３５】
部屋３２用のカードリーダ部４４に接続される状態出力端末は、部屋３０用のカードリーダ部４２に接続される状態出力端末に対して、部屋３２内において始業時点検と退室時点検の対象となる各種機器の内容が異なるのみである。参考として、図３において符号を（括弧）付きで、部屋３２内において始業時点検と退室時点検の対象となる各種機器として、空調機（７１）、照明器具（７３）、電気ポット（７８）、パーソナルコンピュータ（８０）を示す。建物１２のエントランス１６用のカードリーダ部４０に接続される状態出力端末は、建物１２の共有設備に関するもののみである。
【００３６】
カードリーダ部４２は、マイクロプロセッサ９１を内蔵する。マイクロプロセッサ９１は、セキュリティカード５０ｂの識別情報を読み取る読取部９０と、セキュリティ制御部１１０と、情報表示制御部１１２とを含み、これらは互いに信号バスで接続される。
【００３７】
セキュリティ制御部１１０は、読取部９０で読み取った識別情報について予め記憶している登録情報を参照して認証可否を判定し、認証された場合に、ドアロック機構１０８を開錠状態とし、出入口ドア３４を開閉可能にする。認証されない場合は、エラー信号を出力し、状態インジケータ９２のエラーランプを点灯してユーザ８ｂに知らせる。
【００３８】
情報表示制御部１１２は、セキュリティ制御部１１０において識別情報が認証された場合に、状態出力端末の状態信号と情報要求ボタン１００の操作状態に応じて、ユーザ８ｂにとって有用な情報を情報スピーカ１０２と情報ディスプレイ１０４に出力する。ユーザ８ｂにとって有用な情報の表示例を以下に示す。以下の表示例は、説明のための例示であり、セキュリティシステム１０の仕様等に応じ、適宜変更が可能である。
【００３９】
配電設備５９の配電盤６０から停電中信号が情報表示制御部１１２に伝送された場合は、情報インジケータ９６を点灯する。そして、情報要求ボタン１００の操作状態に関わらず、「只今、全館停電中です。」旨の表示を出力する。情報インジケータ９６は、配電盤６０から停電解除信号が伝送されてくるまで、点灯を継続する。
【００４０】
エレベーターシステム１８の制御盤６２から保守点検中信号が情報表示制御部１１２に伝送された場合は、情報インジケータ９８を点灯する。そして、情報要求ボタン１００が押されない場合はそのままとし、情報要求ボタン１００が押された場合は、「只今、エレベーターは保守点検中のため、運転停止中です。エスカレーターまたは階段をご利用ください。」旨の運転停止中情報を表示する。情報インジケータ９８は、制御盤６２から保守点検終了信号が伝送されてくるまで、点灯を継続する。
【００４１】
同様に、エスカレーターシステム２０の制御盤６４から保守点検中信号が情報表示制御部１１２に伝送された場合は、情報インジケータ９８を点灯する。そして、情報要求ボタン１００が押されない場合はそのままとし、情報要求ボタン１００が押された場合は、「只今、エスカレーターは保守点検中のため、一部の階で運転停止中です。ご注意ください。」旨の運転停止中情報を表示する。情報インジケータ９８は、制御盤６４から保守点検終了信号が伝送されてくるまで、点灯を継続する。
【００４２】
雨水センサ６６の端子部から雨量状態信号が情報表示制御部１１２に伝送された場合は、雨量状態信号が示す水量の時間的変化を追跡する。時間経過と共に水量が増加する場合には、情報表示制御部１１２は、現在降雨中であると判定する。植栽１４への散水の必要性の判定には、雨水センサ６６の雨量状態信号が示す水量を閾値水量と比較するが、情報表示制御部１１２では植栽１４への散水の必要性の判定でなく、現在降雨中か否かの判定を行う。換言すれば、建物１２の植栽１４のための保守点検データを用いて、ユーザ８ｂに有用な情報に変換する。情報表示制御部１１２が、現在降雨中であると判定する場合は、情報インジケータ９８を点灯する。そして、情報要求ボタン１００が押されない場合はそのままとし、情報要求ボタン１００が押された場合は、「只今、雨が降っています。外出される際は、傘等をご用意ください。」旨の降雨中情報を出力する。情報インジケータ９８は、情報表示制御部１１２が現在降雨中でないと判定するまで、点灯を継続する。
【００４３】
部屋３０内において、空調機７０、照明器具７２、複写機７４、窓の電子錠７６は、予め定めた始業時点検と退室時点検の対象となる各種機器である。これらの各端子部からのオンオフ状態信号は、部屋３０の業務時間の前後の予め定められた時間帯に伝送される。例えば、部屋３０の業務時間が午前９時から午後５時の場合、午前８時から午前９時までの時間帯と、午後５時から午後１１時までの時間帯に、各端子部からのオンオフ状態信号が情報表示制御部１１２に伝送される。これらの時間帯は説明のための例示であって、部屋３０の業務内容に応じて適宜変更が可能である。
【００４４】
退室時点検に関する情報の表示は、午後５時から午後１１時までの時間帯に行われ、情報表示制御部１１２は、この時間帯において、これらのオンオフ信号の内容に動作中信号であるオン信号が１つでも含まれている場合に、情報インジケータ９８を点灯する。そして、情報要求ボタン１００が押されない場合はそのままとし、情報要求ボタン１００が押された場合は、退室時点検見直し情報として、オン信号を伝送してきた機器を明示して表示する。
【００４５】
退室時点検に用いる一例を示す。業務時間が終了する午後５時の直後には、各種機器の全てからオン信号が伝送されてきたとする。この場合に情報インジケータ９８は点灯する。そして、部屋３０にいる数名のユーザ８の内、最初の１名が出入口ドア３４を開けて退室する。そのユーザ８は、まだ部屋３０に他のユーザ８が執務中であることを知っているので、情報インジケータ９８が点灯していても情報要求ボタン１００を押さない。午後５時３０分に、部屋３０の最後のユーザ８が一通り退室時点検を行い、出入口ドア３４を開けて退室するとする。このとき、情報インジケータ９８が点灯していると、最後に退室するユーザ８は、自分のセキュリティカード５０をカードリーダ部４２にかざし、認証を受けて、情報要求ボタン１００を押す。この場合、退室時点検見直し情報として、「複写機の電源がオンされたままです。戻って、複写機の電源をオフして下さい。」旨の表示が出力される。そこで、最後のユーザ８は、既にドアロック機構１０８が開錠状態である出入口ドア３４を開けて部屋３０内に戻り、複写機７４の電源をオフしてから再び出入口ドア３４を開けて退室し、情報インジケータ９８が消灯していることを確認する。このようにして、退室時点検として、部屋３０における所定の各種機器の全てについての動作終了点検がもれなく行われる。
【００４６】
入室時点検に関する情報の表示は、午前８時から午前９時までの時間帯に行われ、情報表示制御部１１２は、この時間帯において、これらのオンオフ信号の内容に動作停止中信号であるオフ信号が１つでも含まれている場合に、情報インジケータ９８を点灯する。点灯する条件が、退室時点検の場合とはオンオフが逆である。そして、情報要求ボタン１００が押されない場合はそのままとし、情報要求ボタン１００が押された場合は、入室時点検見直し情報として、オフ信号を伝送してきた機器を明示して表示する。
【００４７】
入室時点検に用いる一例を示す。業務時間前の午前８時１５分に、部屋３０に所属する複数のユーザ８の内の最初の１人が自分のセキュリティカード５０を部屋３０用のカードリーダ部４２にかざすとする。前日の退室時点検が完全な場合は、情報インジケータ９８は点灯状態である。そこで、最初の１人であるユーザ８は認証を受けた後、情報要求ボタン１００を押す。この場合、「入室時点検を行って下さい。」旨の表示が出力される。最初の１人であるユーザ８は、既にドアロック機構１０８が開錠状態である出入口ドア３４を開けて部屋３０内に入り、一通り入室時点検を行うが、電力低減のために、自分の机の周りの照明器具７２のみをオンし、遠くの照明器具７２はオフのままとしたとする。午前８時４５分に部屋３０に所属する複数のユーザ８の内の２人目が自分のセキュリティカード５０を部屋３０用のカードリーダ部４２にかざすとき、情報インジケータ９８が点灯中であることに気づく。そこで、２人目であるユーザ８は認証を受けた後、情報要求ボタン１００を押す。この場合、「照明の一部がまだ点灯されていません。ご確認下さい。」旨の表示が出力される。２人目であるユーザ８は、認証を受けて出入口ドア３４を開けて部屋３０内に入り、照明器具７２の一部がオフのままであるので、これをオンする。次に、午前８時５０分に部屋３０に所属する複数のユーザ８の内の３人目が自分のセキュリティカード５０を部屋３０用のカードリーダ部４２にかざすときには、情報インジケータ９８は消灯していて、部屋３０の各種機器の始動が完了していることを知る。このようにして、入室時点検として、部屋３０における所定の各種機器の全てについての始動点検がもれなく行われる。
【００４８】
図４は、セキュリティシステム１０の認証及び各種情報の提供の手順を示すフローチャートである。ここでは、建物１２のエントランス１６のカードリーダ部４０に関する手順を述べる。これらの手順の中で、ユーザ８ａが行う手順については破線枠で示し、カードリーダ部４０のマイクロプロセッサ９１がハードウェアと協働してソフトウェアを実行する手順を実線枠で示す。
【００４９】
建物１２のエントランス１６における初期状態は、出入口ドア２８のドアロック機構１０８が施錠状態である。この状態は、ユーザ８ａがセキュリティカード５０ａをカードリーダ部４０にかざすまで継続する。Ｓ１０は、ユーザ８ａがセキュリティカード５０ａをカードリーダ部４０にかざしたか否かで分岐する手順である。この手順は、ユーザ８ａが行う手順に依存するので、破線枠で示す。ユーザ８ａがセキュリティカード５０ａをカードリーダ部４０にかざした場合は、Ｓ１０が肯定されるので、Ｓ１２以下の手順に進む。ユーザ８ａがセキュリティカード５０ａをカードリーダ部４０にかざさない場合は、Ｓ１０が否定されるので、初期状態のままである。
【００５０】
ユーザ８ａがセキュリティカード５０ａをカードリーダ部４０にかざすと、カードリーダ部４０のマイクロプロセッサ９１の読取部９０がセキュリティカード５０ａの識別情報を読み取る（Ｓ１２）。そして、予め記憶している登録情報を参照し（Ｓ１４）、読み取られた識別情報が登録情報と一致するか否かで、認証可否の判定を行う（Ｓ１６）。認証された場合は、Ｓ１６が肯定されてＳ１８に進み、認証されない場合は、Ｓ１６が否定されてＳ１０に戻り、ユーザ８ａは、例えば、セキュリティカード５０ａをカードリーダ部４０に再度かざす手順を行う。
【００５１】
Ｓ１６が肯定されて進むＳ１８は、ユーザ８ａが情報要求ボタン１００を押すか否かで分岐する手順である。この手順は、ユーザ８ａが行う手順に依存するので、破線枠で示す。ユーザ８ａが情報要求ボタン１００を押すと、Ｓ１８が肯定され、マイクロプロセッサ９１の情報表示制御部１１２は、情報スピーカ１０２、情報ディスプレイ１０４を用いてユーザ８ａにとって有用な各種情報を出力して表示する（Ｓ２０）。ユーザ８ａは、表示された各種情報に従って、適切な行動をすることができ、さらに、Ｓ２２に進む。ユーザ８ａが情報要求ボタン１００を押さない場合はＳ１８が否定され、Ｓ２０の表示が行われず、直接的にＳ２２に進む。
【００５２】
Ｓ２２では、Ｓ１６の判定が肯定されているので、マイクロプロセッサ９１のセキュリティ制御部１１０は、ドアロック機構１０８を施錠状態から開錠状態とする。これによって、出入口ドア２８は、開閉可能となり（Ｓ２４）、自動的に開く。このようにして、ユーザ８ａは、有用な情報の提供を受けると共に、建物１２の内部のセキュリティ空間１３に入ることができる。ドアロック機構１０８は、開錠状態から所定の時間を経過すると、自動的に施錠状態に戻り、出入口ドア２８は、自動的に閉状態に戻る。これにより、初期状態に戻る。
【００５３】
上記構成のセキュリティカード５０ａを用いるセキュリティシステム１０によれば、セキュリティカード５０ａが認証された場合に、出入口ドア２８を開く他に、利用者であるユーザ８ａが出入りする際に役立つ情報の表示等が可能になる。
【符号の説明】
【００５４】
８，８ａ，８ｂ，８ｃ，８ｄ  ユーザ、１０  セキュリティシステム、１２  建物、１３  セキュリティ空間、１４  植栽、１６  エントランス、１８  エレベーターシステム、２０  エスカレーターシステム、２４  昇降路、２６  機械室、２８，３４，３６  出入口ドア、３０，３２  部屋、４０，４２，４４  カードリーダ部、４８，５２，５４  信号線、５０，５０ａ，５０ｂ  セキュリティカード、５９  配電設備、６０  配電盤、６２  （エレベーターシステムの）制御盤、６４  （エスカレーターシステムの）制御盤、６６  雨水センサ、７０，７１  空調機、７２，７３  照明器具、７４  複写機、７６  窓の電子錠、７８  電気ポット、８０  パーソナルコンピュータ、８８  セキュリティチップ、９０  読取部、９１  マイクロプロセッサ、９２  状態インジケータ、９４  テンキー部、９６，９８  情報インジケータ、１００  情報要求ボタン、１０２  情報スピーカ（表示部）、１０４  情報ディスプレイ（表示部）、１０８  ドアロック機構、１１０  セキュリティ制御部、１１２  情報表示制御部。
【図１】
2019021231.tif 000003
【図２】
2019021231.tif 000004
【図３】
2019021231.tif 000005
【図４】
2019021231.tif 000006